(57)【要約】      （修正有）【課題】アンテナとブースターの間に、アンテナ出力を１つに混合するための混合器やフィルターなどを使用しなくても容易にブースターに信号を入力することができるブースターの提供。【解決手段】ブースターにアナログ放送用ＵＨＦ入力端子，ＵＨＦ地上デジタル放送用ＵＨＦ入力端子，アナログ放送用ＵＨＦ信号と地上デジタル放送用ＵＨＦ信号を混合する周波数混合手段を設け，混合された信号を増幅して適正なレベルで出力する。また，ブースターに複数の出力端子を設け，これらの出力端子いずれか又は全ての出力端子から，ブースターやブースターに接続された衛星アンテナのコンバーターに電源を供給する。【選択図】図１
0003126244.tif 000002
【実用新案登録請求の範囲】
【請求項１】
ＶＨＦ入力端子，ＵＨＦ入力端子，ＢＳ・ＣＳ入力端子と，
これらの入力端子に入力された信号を増幅する増幅回路と，
該増幅回路の出力を複数の出力端子に分配又は分岐する手段と，
該分配又は分岐する手段で分配又は分岐された信号を出力する複数の出力端子と，
該複数の出力端子に重畳された直流電圧を高周波の出力信号から分離する電源分離手段と，該電源分離手段で分離された直流電圧を合成する直流電圧合成手段とを備えたことを特徴とするブースター。
【請求項２】
前記ＵＨＦ入力端子は，少なくとも２つの異なるＵＨＦの周波数帯域を入力する複数の入力端子であることを特徴とする請求項１に記載のブースター。
【請求項３】
ＵＨＦ入力端子，ＢＳ・ＣＳ入力端子と，
これらの入力端子に入力された信号を増幅する増幅回路と，
該増幅回路の出力を複数の出力端子に分配又は分岐する手段と，
該分配又は分岐する手段で分配又は分岐された信号を出力する複数の出力端子と，
該複数の出力端子に重畳された直流電圧を高周波の出力信号から分離する電源分離手段と，該電源分離手段で分離された直流電圧を合成する直流電圧合成手段とを備えたことを特徴とするブースター。
【請求項４】
前記ＵＨＦ入力端子は，少なくとも２つの異なるＵＨＦの周波数帯域を入力する複数の入力端子で構成されることを特徴とする請求項３に記載のブースター。
【請求項５】
前記分配又は分岐する手段と前記複数の出力端子との間に信号レベル調整手段を設けたことを特徴とする請求項１乃至請求項４の何れかに記載のブースター。
【請求項６】
前記出力端子は２つの出力端子で構成されたことを特徴とする請求項１乃至請求項５の何れかに記載のブースター。
【考案の詳細な説明】
【技術分野】
【０００１】
本考案は，テレビジョン放送の信号を増幅するブースターに関し，特に複数の出力端子を備えたブースターに関し，詳しくはそのブースターの回路構成に関する。
【背景技術】
【０００２】
複数の異なる方向のアンテナや周波数帯域に対応する入力端子を備えたブースターがあったが，出力端子が１つであったため，出力端子に接続された配線で電源重畳にトラブルが発生した場合，受信できなくなるといった問題があった。
（例えば，特許文献１参照）
【０００３】
【特許文献１】特開２００５−２０１３５号公報
【考案の開示】
【考案が解決しようとする課題】
【０００４】
従来のブースター１０４を使用して，ＵＨＦのアナログ放送と地上デジタル放送の両方を受信する場合，ＵＨＦ帯域の入力端子が１つであったため，図１０に示す，第１のＵＨＦアンテナ５（ＵＨＦのアナログ放送受信用）と第２のＵＨＦアンテナ６（地上デジタル放送受信用）の信号を混合して受信した例１０１のように，
第１のＵＨＦアンテナ５の出力と第２のＵＨＦアンテナ６の出力を１つに混合するための混合器１０３やフィルター１０２が必要になる。また，上記のアンテナ及びＶＨＦのアンテナ３やブースターは１本の支柱２に取り付けられているのでアンテナサイトがすっきりしないといった問題が発生する。さらに，これらの機器を設置する工事が複雑になるといった問題が発生し，それに伴い，配線ミスを誘発したり，レベル調整も容易ではない，といった問題が発生する。
【０００５】
また，図１０のように複数の部屋で受信する場合，ブースターの出力端子に例えば２分配器のような分配器６７を使用することも考えられるが，この場合もこれらの機器を設置する工事が複雑になるといった問題が発生し，それに伴い，配線ミスを誘発したり，レベル調整も容易ではない，といった問題が発生する。
【０００６】
そこで本願においては，こうした問題点を解決するためになされたものであり，
その目的は，混合器１０３やフィルター１０２を各個に使用しなくても従来の放送と地上デジタル放送を受信することを可能とするブースターを提供することを課題とする。
他の目的は，設置工事が簡単に短時間でできるブースターを提供することを課題とする。
他の目的は，複数の出力端子を設け，該複数の出力端子に重畳された直流電圧を高周波の出力信号から分離する電源分離手段と，該電源分離手段で分離された直流電圧を合成する直流電圧合成手段とを備えることにより，複数の出力端子のいずれか又は全ての出力端子から，ブースターやブースターに接続された衛星アンテナのコンバーターに電源を供給可能なブースターを提供することを課題とする。
他の目的は，複数設けた出力端子の出力レベルを個別に調整できるブースターを提供することを課題とする。  
【課題を解決するための手段】
【０００７】
上記課題を解決するために，請求項１の考案のブースターは
ＶＨＦ入力端子，ＵＨＦ入力端子，ＢＳ・ＣＳ入力端子と，
これらの入力端子に入力された信号を増幅する増幅回路と，
該増幅回路の出力を複数の出力端子に分配又は分岐する手段と，
該分配又は分岐する手段で分配又は分岐された信号を出力する複数の出力端子と，
該複数の出力端子に重畳された直流電圧を高周波の出力信号から分離する電源分離手段と，該電源分離手段で分離された直流電圧を合成する直流電圧合成手段とで構成される。
【０００８】
請求項２の考案は，
請求項１に記載のブースターにおいて，前記ＵＨＦ入力端子は，少なくとも２つの異なるＵＨＦの周波数帯域を入力する複数の入力端子で構成される。
【０００９】
請求項３の考案のブースターは，
ＵＨＦ入力端子，ＢＳ・ＣＳ入力端子と，
これらの入力端子に入力された信号を増幅する増幅回路と，
該増幅回路の出力を複数の出力端子に分配又は分岐する手段と，
該分配又は分岐する手段で分配又は分岐された信号を出力する複数の出力端子と，
該複数の出力端子に重畳された直流電圧を高周波の出力信号から分離する電源分離手段と，該電源分離手段で分離された直流電圧を合成する直流電圧合成手段とで構成される。
【００１０】
請求項４の考案は，
請求項３に記載のブースターにおいて，前記ＵＨＦ入力端子は，少なくとも２つの異なるＵＨＦの周波数帯域を入力する複数の入力端子で構成される。
【００１１】
請求項５の考案は，
請求項１乃至請求項４の何れかに記載のブースターにおいて，前記分配又は分岐する手段と前記複数の出力端子との間に信号レベル調整手段を設けるように構成される。
【００１２】
請求項６の考案は，
請求項１乃至請求項５の何れかに記載のブースターにおいて，前記出力端子は２つの出力端子で構成される。
【考案の効果】
【００１３】
請求項１の考案によれば，
ＶＨＦ入力端子，ＵＨＦ入力端子，ＢＳ・ＣＳ入力端子と，
これらの入力端子に入力された信号を増幅する増幅回路と，
該増幅回路の出力を複数の出力端子に分配又は分岐する手段と，
該分配又は分岐する手段で分配又は分岐された信号を出力する複数の出力端子と，
該複数の出力端子に重畳された直流電圧を高周波の出力信号から分離する電源分離手段と，該電源分離手段で分離された直流電圧を合成する直流電圧合成手段とを備えたので，
アンテナとブースターの間に、アンテナ出力を１つに混合するための混合器やフィルターなどを使用しなくても容易にブースターに信号を入力することができる。
【００１４】
しかも，複数の出力端子のいずれか又は全ての出力端子から，ブースターやブースターに接続された衛星アンテナのコンバーターに電源を供給することが可能となる。また，１つの出力端子の電源供給にトラブルが生じても，他の出力端子から電源を供給することが可能なので，中断することなく放送を受信することができる。さらに，すっきりした配線が可能となり，配線ミスを防止できる。
【００１５】
請求項２の考案によれば，
請求項１に記載のブースターにおいて，前記ＵＨＦ入力端子は，少なくとも２つの異なるＵＨＦの周波数帯域を入力する複数の入力端子で構成されるので，例えば，現在放送されているＵＨＦのアナログ放送とこれから受信する地上デジタル放送の両方を受信できる。
【００１６】
請求項３の考案によれば，
ＵＨＦ入力端子，ＢＳ・ＣＳ入力端子と，
これらの入力端子に入力された信号を増幅する増幅回路と，
該増幅回路の出力を複数の出力端子に分配又は分岐する手段と，
該分配又は分岐する手段で分配又は分岐された信号を出力する複数の出力端子と，
該複数の出力端子に重畳された直流電圧を高周波の出力信号から分離する電源分離手段と，該電源分離手段で分離された直流電圧を合成する直流電圧合成手段とを備えたので，
アンテナとブースターの間に、アンテナ出力を１つに混合するための混合器やフィルターなどを使用しなくても容易にブースターに信号を入力することができる。
【００１７】
しかも，複数の出力端子のいずれか又は全ての出力端子から，ブースターやブースターに接続された衛星アンテナのコンバーターに電源を供給することが可能となる。また，１つの出力端子の電源供給にトラブルが生じても，他の出力端子から電源を供給することが可能なので，中断することなく放送を受信することができる。さらに，すっきりした配線が可能となり，配線ミスを防止できる。
【００１８】
請求項４の考案によれば，
請求項３に記載のブースターにおいて，前記ＵＨＦ入力端子は，少なくとも２つの異なるＵＨＦの周波数帯域を入力する複数の入力端子で構成されるので，例えば，現在放送されているＵＨＦのアナログ放送とこれから受信する地上デジタル放送の両方を受信できる。
【００１９】
請求項５，６の考案によれば、
請求項１乃至請求項４の何れかに記載のブースターにおいて，前記分配又は分岐する手段と前記複数の出力端子との間に信号レベル調整手段を設けるように構成したので，ブースターの出力端子に接続されたケーブルの長さによる損失や，ブースターとテレビなどの受信装置の途中に使用される分配器などの機器による損失によるレベル差を自在に調整することができる。
【考案を実施するための最良の形態】
【００２０】
以下に，本考案を具体化した実施形態の例を，図面を基に詳細に説明する。
【実施例１】
【００２１】
本考案の第１の実施形態として図９を参照して説明する。尚，以下の説明では，上記第１の実施形態と同様の構成要素については同一符号を付与し，詳細な説明は省略する。また，帯域消去はＢ．Ｅ．Ｆ．，帯域通過フィルターはＢ．Ｐ．Ｆ．，低域通過フィルターはＬ．Ｐ．Ｆ．，広域通過フィルターはＨ．Ｐ．Ｆ．と称する。
図９は本考案に係る受信増幅用ブースター９を設置した受信装置１の例を示す。ブースター９の近くにはＶＨＦアンテナ（ＦＭ帯域を含んでも良い）３，第１のＵＨＦアンテナ（アナログ放送受信用）５，第２のＵＨＦアンテナ（地上デジタル放送受信用）６，衛星放送用アンテナ（ＢＳ・ＣＳアンテナ）７が設置され，それぞれのアンテナからの信号は同軸ケーブル等の給電線４により直接ブースター９に接続されている。そして，ブースターの出力は同軸ケーブル等の給電線４で，分配器６７に接続され，複数の部屋に伝送される。
そして，屋内のテレビ６９，７０やチューナー６８などの受信装置に接続される。なお，ブースター９には，接続された，テレビ６９，７０やチューナー６８などの受信装置又は図示していない電源供給器から，
ブースター９やブースター９に接続した衛星放送用アンテナ（ＢＳ・ＣＳアンテナ）７に備えられたコンバーター８へ低電圧電源として例えばＤＣ１５Ｖの電源を供給している。上記のアンテナ及びＶＨＦアンテナ３やブースターは１本の支柱２に取り付けられているが，各アンテナからの配線は，直接ブースター９に給電線４で接続されているのですっきりと設置されている。
【００２２】
次に図３を用いて本考案に係るブースター９の入力端子１３〜１６，出力端子１７，入力切り換え，レベル調整などについて説明をする。
ブースター９の増幅回路などを収めたシールドケース１２は，開閉自在の受信増幅用ブースターのケースの蓋１１を備えた１つの受信増幅用ブースターのケース１０に収容されている。
ケースの下側には入力端子１３〜１６，出力端子１７,５７が配置されている。左から順に第１の入力端子（ＶＨＦ放送信号が入力される）１３, 第２の入力端子（従来のアナログ放送信号が入力される）１４，第３の入力端子（地上デジタル放送信号が入力される）１５，第４の入力端子（衛星放送ＩＦ信号が入力される）１６，第１の出力端子（増幅された信号が出力されるとともにＤＣ１５Ｖが供給される）１７，第２の出力端子（増幅された信号が出力されるとともにＤＣ１５Ｖが供給される）５７の順に配置されている。これらの端子はＦ型の接栓座でシールドケース１２に取り付けられている。
【００２３】
シールドケース１２の左側にはＶＨＦの入力回路に設けたＦＭトラップ回路を入又は切にするスイッチ１９，第１の入力端子１３から入った信号（ＶＨＦの信号）と第２の入力端子１４から入った信号（ＵＨＦアナログ信号）とを混合又は独立にするスイッチ１８が設けられている。
これらのスイッチの右側には，
第１の入力レベル調整スイッチ２０，第２の入力レベル調整スイッチ２２，第３の入力レベル調整スイッチ２４，第４の入力レベル調整スイッチ２６，第５の入力レベル調整スイッチ２７が配置され，入力端子に入力されたレベルを調整できるようになっている。これらの減衰量は０ｄＢと−１０ｄＢの２段階であるがこれに限らず，減衰量を０ｄＢ，−５ｄＢ，−１０ｄＢとか，０ｄＢ，−１０ｄＢ，−１５ｄＢとしても良い。
また，第１の利得調整ボリウム２１，第２の利得調整ボリウム２３，第３の利得調整ボリウム２５，第４の利得調整ボリウム２８により，それぞれの帯域の増幅回路の利得を調整できる。これらのボリウムによる減衰量は，０〜−１０ｄＢ可変できるようにしてある。また，これに限らず，０〜−１５ｄＢ，０〜−２０ｄＢ可変できるようにしても良い。これらの調整手段を適宜操作して，最適の状態にレベルを調整することができる。
シールドケース１２の右上には，いずれか又は全ての出力端子１７，５７に，ブースター９の電源である低電圧電源の供給の有無を表示するための表示手段としてランプ（通電表示ＬＥＤ）２９を設けている。なお，この表示手段は第４の入力端子（衛星放送ＩＦ信号が入力される）１６に対する電源供給の有無の表示を兼ねている。
【００２４】
図１に本考案に係るブースターの構成図を示す。
シールドケース１２には
第１の入力端子（ＶＨＦ放送信号が入力される）１３, 第２の入力端子（従来のアナログ放送信号が入力される）１４，第３の入力端子（地上デジタル放送信号が入力される）１５，第４の入力端子（衛星放送ＩＦ信号が入力される）１６の４つの入力端子と，２つの出力端子（増幅された信号が出力されるとともにＤＣ１５Ｖが供給される）１７，５７を備えている。
【００２５】
最初にＵＨＦの周波数帯域の回路について説明する。
第２の入力端子（従来のアナログ放送信号が入力される）１４に入力された信号は，Ｂ．Ｐ．Ｆ．３９を介して携帯電話通信用信号を阻止するためのＢ．Ｅ．Ｆ．４０に伝送される。携帯電話通信用信号を阻止するための他の方法としてはトラップ回路を設け，それをパネルに設けたスイッチで入り切りさせても良い。
また，第３の入力端子（地上デジタル放送信号が入力される）１５に入力された信号は，第４の入力レベル調整スイッチ２６を介してＵＨＦのｃｈ１９〜ｃｈ２１を通過させるＢ．Ｐ．Ｆ．４３に伝送される。
これらの２つの信号はＵＨＦのｃｈ１９〜ｃｈ２１を通過させるＢ．Ｐ．Ｆ．４３，Ｂ．Ｐ．Ｆ．３９，携帯電話通信用信号を阻止するためのＢ．Ｅ．Ｆ．４０とで構成された混合回路により，混合される。そして，第３の入力レベル調整スイッチ２４，ＵＨＦのｃｈ１３〜ｃｈ６２を増幅する増幅器４１，第３の利得調整ボリウム２５，ＵＨＦのｃｈ１３〜ｃｈ６２を増幅する増幅器４２を介して，ＶＨＦのｃｈ４〜ｃｈ１２（ＦＭを含む）を通過するＬ．Ｐ．Ｆ．４４とＵＨＦのｃｈ１３〜ｃｈ６２を通過させるＨ．Ｐ．Ｆ．４５とで構成される混合器５６に伝送される。
【００２６】
ここで，Ｂ．Ｐ．Ｆ．３９，携帯電話通信用信号を阻止するためのＢ．Ｅ．Ｆ．４０，ＵＨＦのｃｈ１９〜ｃｈ２１を通過させるＢ．Ｐ．Ｆ．４３で構成される混合器について説明する。
Ｂ．Ｐ．Ｆ．３９と携帯電話通信用信号を阻止するためのＢ．Ｅ．Ｆ．４０によりＢ．Ｅ．Ｆ．を構成している。
大阪地域で地上デジタル放送を受信する場合の例を示す。
Ｂ．Ｐ．Ｆ．３９は全てのＵＨＦテレビ放送チャンネルを通過させるもので通過帯域は４７０ＭＨｚから８１０ＭＨｚである。この周波数特性を図２[Ａ]に示す。なお，Ｂ．Ｐ．Ｆ．３９の通過帯域の上限は７７０ＭＨｚでも良いし，通過帯域の下限を４７０ＭＨｚとするＨ．Ｐ．Ｆ．でも良いが，８１０ＭＨｚより高い周波数が携帯電話の通信に使用されているため，この妨害を避けるため通過帯域４７０ＭＨｚから８１０ＭＨｚのＢ．Ｐ．Ｆ．とした。
また，携帯電話通信用信号を阻止するためのＢ．Ｅ．Ｆ．４０の周波数特性は図２[Ｂ]に示すように阻止帯域は５０６ＭＨｚ〜５２４ＭＨｚである。
また，Ｂ．Ｐ．Ｆ．４３の周波数特性は図２の[Ｃ]に示すように通過帯域は５０６ＭＨｚから５２４ＭＨｚである。
このような混合器により，アナログ放送用ＵＨＦ入力端子，地上デジタル放送用ＵＨＦ入力端子それぞれに入力された信号は干渉されることなく混合される。
【００２７】
なお，第２の入力端子（従来のアナログ放送信号が入力される）１４側に設けたＢ．Ｐ．Ｆ．３９とＢ．Ｅ．Ｆ．４０の代わりに，Ｂ．Ｐ．Ｆ．３９を通過帯域の下限を５２４ＭＨｚとするＨ．Ｐ．Ｆ．に置き換え，Ｂ．Ｅ．Ｆ．４０を通過帯域の上限を５０６ＭＨｚとするＬ．Ｐ．Ｆ．に置き換えても良い。
地上デジタル放送のチャンネルは多く地域でＵＨＦ帯域の下方に集まっており，それぞれの地域に合わせておけば最適の受信が可能となる。
【００２８】
次に，第１の入力端子（ＶＨＦ放送信号が入力される）１３に入力された信号は，ＶＨＦのｃｈ１〜ｃｈ３（ＦＭ放送信号を含んでも良い）を通過させるフィルターＬ．Ｐ．Ｆ．（ローパスフィルター）又はＢ．Ｐ．Ｆ．（バンドパスフィルター）３１とＶＨＦのｃｈ４〜ｃｈ１２を通過させるフィルター（Ｈ．Ｐ．Ｆ．又はＢ．Ｐ．Ｆ．）３５とで構成される分波器５３に伝送される。分波器５３のＶＨＦのｃｈ１〜ｃｈ３（ＦＭ放送信号を含んでも良い）を通過させるフィルターＬ．Ｐ．Ｆ．（ローパスフィルター）又はＢ．Ｐ．Ｆ．（バンドパスフィルター）３１側からの信号は，フィルター回路を入又は切にするスイッチ１９とＦＭ放送信号抑圧用のフィルター３２で構成されるトラップ回路，第１の入力レベル調整スイッチ２０，第１の利得調整ボリウム２１，７６から１０８ＭＨｚを増幅する増幅回路３３を介して，ＶＨＦのｃｈ１〜ｃｈ３（ＦＭ放送信号を含んでも良い）を通過させるフィルター（Ｌ．Ｐ．Ｆ．又はＢ．Ｐ．Ｆ．）３４とＶＨＦのｃｈ４〜ｃｈ１２を通過させるＨ．Ｐ．Ｆ．又はＢ．Ｐ．Ｆ．３８とで構成される
混合器５４へ伝送される。
【００２９】
また，分波器５３のＶＨＦのｃｈ４〜ｃｈ１２を通過させるフィルター（Ｈ．Ｐ．Ｆ．又はＢ．Ｐ．Ｆ．）３５側からの信号は，ＶＨＦのｃｈ４〜ｃｈ１２の入力レベルを調整するＡＴＴ３６，第２の利得調整ボリウム２３，ＶＨＦのｃｈ４〜ｃｈ１２を増幅する増幅器３７を介して混合器５４へ伝送される。
そして，混合器５４の出力信号は，混合器５６でＵＨＦのｃｈ１３〜ｃｈ６２を増幅する増幅器４２の出力信号と混合される。
第４の入力端子（衛星放送ＩＦ信号が入力される）１６に入力された信号は，１０３２〜２６５５ＭＨｚを通過させるＨ．Ｐ．Ｆ．又はＢ．Ｐ．Ｆ．４７，第５の入力レベル調整スイッチ２７，増幅器（１０３２〜２６５５ＭＨｚを増幅する）４８，第４の利得調整ボリウム２８，増幅器（１０３２〜２６５５ＭＨｚを増幅する）４９を介して，Ｌ．Ｐ．Ｆ．（ＵＨＦのｃｈ１３〜ｃｈ６２を通過させるＬ．Ｐ．Ｆ．）５０，１０３２〜２６５５ＭＨｚを通過させるＬ．Ｐ．Ｆ．５１とで構成される混合器５２に伝送される。
そして，混合器５２では，混合器５６の出力信号と混合されたものが，分配器５８を介して出力端子１７，５７へ伝送される。
【００３０】
出力端子１７，５７と第４の入力端子（衛星放送ＩＦ信号が入力される）１６との間には，ダイオード６０，ローパスフィルター４６が接続され，出力端子１７,５７に供給された電源ＤＣ１５Ｖを第４の入力端子に１６に供給するとともに，この電源によりランプ２６を点灯させる。
なお，図１には示されていない電源回路６１により，出力端子１７，５７に供給されたＤＣ１５の電源は，必要に応じて適当な電圧に変換して電源が必要なブースター１２内部の回路へ供給される。
ダイオード６０は，出力端子１７，出力端子５７のいずれか又は両方に電源電圧が供給された場合にローパスフィルター４６へ電源を供給するために設けられている。また，ダイオード６０は，出力端子１７から出力端子５７，又は出力端子５７から出力端子１７へ電流が流れるのを阻止している。
図１では，出力端子が２つの例を示したが，これに限らず，必要な端子数を適宜設けても良い。
【００３１】
図４はブースター出力部の別の回路例である。増幅された信号は分配部５８で分配され，出力レベル調整用の減衰器６５を介して電源分離回路５９を介して出力端子１７，５７に接続されている。これらの出力レベル調整用の減衰器６５は必要に応じて，操作パネルから調整できるようにしても良い。また，出力端子に接続される給電線４の長さによる信号損失に応じて，予め異なる値に設定しても良い。
【００３２】
図５に電源分離回路５９の回路例を示す。コンデンサ６２は，高周波の信号を通過させて電源の直流を阻止する。また，コイル６３は電源の直流を通過させて高周波の信号を阻止する。このため，端子イに供給された電源の直流は，端子ハには供給されず，端子ロにのみ供給される。また，端子ハに入力された高周波の信号は，端子ロには出力されず，端子イにのみ出力される。
【００３３】
図６に分配部５８の回路例を示す。端子ホに入力された高周波の信号は，分配回路６４で分配され，同じ信号レベルで端子トと端子へに出力される。
図７は分配部５８に分配回路６４ではなく分岐回路６６を使用した例を示す。端子チに入力された高周波の信号は，分岐回路６６で，少ない損失で出力される出力端子リと，出力端子リより大きな損失で出力される分岐端子ヌとに分けられる。このように，２つの出力信号の大きさを変えて出力することにより，減衰器６５を使用しなくても，出力端子に接続される給電線４の長さによる信号損失の違いに対応することができる。
なお，分配部５８の構成は分配回路６４と分岐回路６６を適宜組合わせても良い。
【００３４】
本考案の第２の実施形態として図１１を参照して説明する。第１の実施形態である図８との違いは，ＶＨＦ入力端子１３，第１の入力端子１３から入った信号と第２の入力端子１４から入った信号とを混合又は独立にするスイッチ１８，ＶＨＦの回路に設けられていたトラップ回路を入又は切にするスイッチ１９が省かれている点である。また，出力レベル調整用減衰器６５，ＵＨＦ地上デジタル用増幅回路に利得調整ボリウム７１を設けた点も異なっている。なお，出力レベル調整用減衰器６５，ＵＨＦ地上デジタル用増幅回路に利得調整ボリウム７１は省略しても良い。
この構成例は，地上のテレビ放送が，完全にＵＨＦ地上デジタルに移行された場合には，ＶＨＦの信号を増幅する必要がなくなるため，不要となったＶＨＦの入力端子や増幅回路などを削除した１例である。
【００３５】
なお、第４の入力レベル調整スイッチは適宜設けられる。
従来のUHF放送（アナログ放送）と新設のUHF放送（地上デジタル放送）の周波数帯域がオーバーラップしている場合には、Ｂ．Ｐ．Ｆ．４３とＢ．Ｅ．Ｆ．４０との周波数特性もオーバーラップすることになるが、相互にフィルターがあるので影響を軽減できる。しかし、それでも影響が出る場合は、入力のレベル調整スイッチで調整したりして影響をなくす事ができる。
また，ＢＳ・ＣＳ−ＩＦの周波数帯域は１０３２〜２６０２ＭＨｚとするが，周波数帯域の上限は２６１０ＭＨｚ，又は２６５５ＭＨｚであっても良い。
【００３６】
また，放送政策に基づくアナログ放送からデジタル放送への移行により，ＶＨＦのアナログ放送が終了し，ＶＨＦの電波が停波された場合は，ＶＨＦの増幅回路３３，３７に直流電源の供給を止めるためのスイッチを操作パネル上に設け，ＶＨＦの増幅回路３３，３７への電源供給を入又は切できるようにすれば，省エネルギーが可能となる。
【００３７】
尚，本考案は上記実施の形態に限定されるものではなく，本考案の趣旨を逸脱しない範囲で各フィルターの通過帯域，阻止帯域，各増幅回路の構成を適宜に変更して実施することも可能である。
【図面の簡単な説明】
【００３８】
【図１】本考案に係るブースターの構成図を示す。
【図２】周波数混合回路に使用されるフィルターの特性の説明図を示す。
【図３】本考案に係るブースターの操作パネル及び端子の説明図を示す。
【図４】出力部の回路例を示す。
【図５】電源分離回路の例を示す。
【図６】分配部に分配回路を使用した例を示す。
【図７】分配部に分岐回路を使用した例を示す。
【図８】操作パネル及び端子の例を示す。
【図９】本考案に係るブースターを使用して設置した例を示す。
【図１０】従来のブースターを使用して設置した例を示す。
【符号の説明】
【００３９】
１…受信装置，２…ポール（支柱），３…ＶＨＦアンテナ（ＦＭ帯域を含んでも可），４…給電線，５…第１のＵＨＦアンテナ（従来のアナログ放送受信用），６…第２のＵＨＦアンテナ（地上デジタル放送受信用），７…衛星放送受信用アンテナ，８…コンバーター，９…受信増幅用ブースター，１０…受信増幅用ブースターのケース，１１…受信増幅用ブースターの蓋，
１２…シールドケースでの接栓座１３から接栓座１６が取り付けられている，１３…第１の入力端子は接栓座でＦ型となっておりＶＨＦ放送（信号）が入力される，１４…第２の入力端子は接栓座でＦ型となっており従来のアナログ放送（信号）が入力される，１５…第３の入力端子は接栓座でＦ型となっており地上デジタル放送（信号）が入力される，１６…第４の入力端子は接栓座でＦ型となっており衛星放送ＩＦ（信号）が入力される，１７…出力端子で端子は接栓座でＦ型となっており増幅された信号が出力されるとともにＤＣ１５Ｖが供給される，１８…第１の入力端子から入った信号と第２の入力端子から入った信号とを混合又は独立にするスイッチ，１９…トラップ回路を入又は切にするスイッチ，２０…第１の入力レベル調整スイッチ，２１…第１の利得調整ボリウム，２２…第２の入力レベル調整スイッチ，２３…第２の利得調整ボリウム，２４…第３の入力レベル調整スイッチ，２５…第３の利得調整ボリウム，２６…第４の入力レベル調整スイッチ，２７…第５の入力レベル調整スイッチ，２８…第４の利得調整ボリウム，２９…ランプ（通電表示ＬＥＤ），３０…ＶＨＦ・ＵＨＦ混合用フィルター，３１…ＶＨＦのｃｈ１〜ｃｈ３（ＦＭ放送信号を含んでも良い）を通過させるフィルターＬ．Ｐ．Ｆ．（ローパスフィルター）又はＢ．Ｐ．Ｆ．（バンドパスフィルター），３２…ＦＭ放送信号抑圧用のフィルターでＦＭ放送波を抑圧するためのトラップ，３３…７６から１０８ＭＨｚを増幅する増幅回路（例えば２０ｄＢ），３４…ＶＨＦのｃｈ１〜ｃｈ３（ＦＭ放送信号を含んでも良い）を通過させるフィルター（Ｌ．Ｐ．Ｆ．又はＢ．Ｐ．Ｆ．），３５…ＶＨＦのｃｈ４〜ｃｈ１２を通過させるフィルター（Ｈ．Ｐ．Ｆ．又はＢ．Ｐ．Ｆ．），３６…ＶＨＦのｃｈ４〜ｃｈ１２の入力レベルを調整するＡＴＴ，３７…ＶＨＦのｃｈ４〜ｃｈ１２を増幅する増幅器（利得３０ｄＢ），３８…ＶＨＦのｃｈ４〜ｃｈ１２を通過させるＨ．Ｐ．Ｆ．又はＢ．Ｐ．Ｆ．，３９…Ｂ．Ｐ．Ｆ．，４０…携帯電話通信用信号を阻止するためのＢ．Ｅ．Ｆ．，
４１…ＵＨＦのｃｈ１３〜ｃｈ６２を増幅する増幅器，４２…ＵＨＦのｃｈ１３〜ｃｈ６２を増幅する増幅器，４３…ＵＨＦのｃｈ１３〜ｃｈ２８を通過させるＢ．Ｐ．Ｆ．，４４…ＶＨＦのｃｈ４〜ｃｈ１２（ＦＭを含む）を通過するＬ．Ｐ．Ｆ．，４５…ＵＨＦのｃｈ１３〜ｃｈ６２を通過させるＨ．Ｐ．Ｆ．，４６…低電圧（ＤＣ１５Ｖ又はＡＣ３０Ｖを通過させるローパスフィルター，４７…１０３２〜２６５５ＭＨｚを通過させるＨ．Ｐ．Ｆ．又はＢ．Ｐ．Ｆ．，４８…増幅器（１０３２〜２６５５ＭＨｚを増幅する），４９…増幅器（１０３２〜２６５５ＭＨｚを増幅する），５０…Ｌ．Ｐ．Ｆ．（ＵＨＦのｃｈ１３〜ｃｈ６２を通過させるＬ．Ｐ．Ｆ．），５１…１０３２〜２６５５ＭＨｚを通過させるＬ．Ｐ．Ｆ．，１０１…第１のＵＨＦアンテナと第２のＵＨＦアンテナの信号を混合して受信した例，１０２…第１のＵＨＦ放送信号を通過させるＢ．Ｐ．Ｆ．，１０３…混合器，１０４…ブースター，５２…混合器，５３…分波器，５４…混合器，５５…分波器，５６…混合器，
５７…出力端子で端子は接栓座でＦ型となっており増幅された信号が出力されるとともにＤＣ１５Ｖが供給される，５８…分配部，５９…電源分離回路，６０…ダイオード，６１…電源回路，６２…コンデンサ，６３…コイル，６４…分配回路，６５…減衰器，６６…分岐回路，６７…分配器，６８…チューナー，６９…テレビ，７０…テレビ，７１…利得調整ボリウム，
【図１】
0003126244.tif 000003
【図２】
0003126244.tif 000004
【図３】
0003126244.tif 000005
【図４】
0003126244.tif 000006
【図５】
0003126244.tif 000007
【図６】
0003126244.tif 000008
【図７】
0003126244.tif 000009
【図８】
0003126244.tif 000010
【図９】
0003126244.tif 000011
【図１０】
0003126244.tif 000012